(57)【特許請求の範囲】
【請求項１】
ユーザ毎に独自の識別情報を付与した、非接触カード機能用コンテンツのコンテンツデータを格納する第１格納手段、及び非接触カード通信を行うリーダ／ライタ手段を有するインフォメーションプロバイダ装置と、
前記インフォメーションプロバイダ装置から別の移動端末装置を介して前記コンテンツデータを取得するコンテンツデータ取得手段、取得した前記コンテンツデータを格納する第２格納手段、前記非接触カード機能用コンテンツを利用する場合に、前記インフォメーションプロバイダ装置からの指令に応じて利用対象となる特定のコンテンツデータが前記第２格納手段にあるかどうかを確認し、前記特定のコンテンツデータの有無を示す確認情報を出力する管理手段、及び前記インフォメーションプロバイダ装置に前記確認情報を非接触カード通信で送る非接触カード通信手段を有する移動体端末装置と、
を具備し、前記インフォメーションプロバイダ装置に前記確認情報に基づいて前記特定のコンテンツデータに付与された識別情報に対応するユーザを特定させることを特徴とする非接触カード機能用コンテンツ配信システム。
【請求項２】
前記インフォメーションプロバイダ装置は、前記確認情報に基づいて前記特定のコンテンツデータに含まれる識別情報に対応するユーザに対してアフィリエイト処理を行うことを特徴とする請求項１記載の非接触カード機能用コンテンツ配信システム。
【請求項３】
インフォメーションプロバイダ装置において、非接触カード機能用コンテンツのコンテンツデータにユーザ毎に独自の識別情報を付与する工程と、移動体端末装置が前記コンテンツデータをインフォメーションプロバイダ装置から取得する工程と、前記移動体端末装置が別の移動体端末装置に前記コンテンツデータを配信する工程と、前記別の移動体端末装置が前記インフォメーションプロバイダ装置のリーダ／ライタ手段と非接触カード通信を行って前記非接触カード機能用コンテンツを利用する場合に、前記インフォメーションプロバイダ装置からの指令に応じて前記別の移動体端末装置が利用対象となる特定のコンテンツデータを有するかどうかを確認し、その特定のコンテンツデータの有無を示す確認情報を通信する工程と、前記インフォメーションプロバイダ装置が前記確認情報に基づいて前記特定のコンテンツデータに付与された識別情報に対応するユーザを特定する工程とを具備することを特徴とする非接触カード機能用コンテンツ配信方法。
【請求項４】
前記インフォメーションプロバイダ装置において、前記確認情報に基づいて前記特定のコンテンツデータに含まれる識別情報に対応するユーザに対してアフィリエイト処理を行うことを特徴とする請求項３記載の非接触カード機能用コンテンツ配信方法。
【発明の詳細な説明】
【技術分野】
【０００１】
本発明は、非接触カード機能用コンテンツ配信システム及び非接触カード機能用コンテンツ配信方法に関し、非接触カード機能を搭載した移動体端末装置を利用して簡便に非接触カード機能用コンテンツを配信するシステム及び方法に関する。
【背景技術】
【０００２】
移動体端末装置の高機能化に伴い、移動体端末装置を利用して様々なデータを取得する場面が増加している。一般的には、パケット網などを介してインターネット経由でコンテンツをダウンロードすることが行われる。また、データの種類によってはメールに添付して送受信することが可能である。さらに、最近では、赤外線通信や二次元バーコードを利用したデータの送受信も行われている。【０００３】
近年、ＩＣカード機能を搭載した移動体端末装置が広く普及している。このＩＣカード機能を利用したデータの受け渡しは、移動体端末装置側の電源が入っていなくても行うことができたり、外部Ｒ／Ｗにかざすだけで実行ができるというように、ユーザにとっては非常に操作が簡便である（特許文献１）。
特許文献１：特開２００３−２９６２３３号公報【０００４】
このようなＩＣカード機能でデータの受け渡しが実現できると、このＩＣカード機能で取得したデータを種々の場面で利用することができるようになる。しかしながら、従来のシステムにおいては、このようにＩＣカード機能で取得したデータを種々の場面で利用することについて想定されておらず、そのような仕組みも構築されていないのが現状である。
【発明の開示】
【０００５】
本発明の目的は、ＩＣカード機能で取得したデータを種々の場面で利用することができる非接触カード機能用コンテンツ配信システム及び非接触カード機能用コンテンツ配信方法を提供することである。
【０００６】
本発明の非接触カード機能用コンテンツ配信システムは、ユーザ毎に独自の識別情報を付与した、非接触カード機能用コンテンツのコンテンツデータを格納する第１格納手段、及び非接触カード通信を行うリーダ／ライタ手段を有するインフォメーションプロバイダ装置と、前記インフォメーションプロバイダ装置から別の移動端末装置を介して前記コンテンツデータを取得するコンテンツデータ取得手段、取得した前記コンテンツデータを格納する第２格納手段、前記非接触カード機能用コンテンツを利用する場合に、前記インフォメーションプロバイダ装置からの指令に応じて利用対象となる特定のコンテンツデータが前記第２格納手段にあるかどうかを確認し、前記特定のコンテンツデータの有無を示す確認情報を出力する管理手段、及び前記インフォメーションプロバイダ装置に前記確認情報を非接触カード通信で送る非接触カード通信手段を有する移動体端末装置と、を具備し、前記インフォメーションプロバイダ装置に前記確認情報に基づいて前記特定のコンテンツデータに付与された識別情報に対応するユーザを特定させることを特徴とする。
【０００７】
この構成によれば、非接触カード機能用コンテンツのコンテンツデータにインフォメーションプロバイダが独自に付与した識別情報を含めているので、非接触カード機能で取得したコンテンツデータの識別情報に基づいてコンテンツデータの配布状況を把握したり、配布元である紹介者を特定することが可能となる。したがって、非接触カード機能で取得したデータを種々の場面で利用することができる。
【０００９】
本発明の非接触カード機能用コンテンツ配信システムにおいては、前記インフォメーションプロバイダ装置は、前記確認情報に基づいて前記特定のコンテンツデータに含まれる識別情報に対応するユーザに対してアフィリエイト処理を行うことが好ましい。
【００１０】
本発明の非接触カード機能用コンテンツ配信方法は、インフォメーションプロバイダ装置において、非接触カード機能用コンテンツのコンテンツデータにユーザ毎に独自の識別情報を付与する工程と、移動体端末装置が前記コンテンツデータをインフォメーションプロバイダ装置から取得する工程と、前記移動体端末装置が別の移動体端末装置に前記コンテンツデータを配信する工程と、前記別の移動体端末装置が前記インフォメーションプロバイダ装置のリーダ／ライタ手段と非接触カード通信を行って前記非接触カード機能用コンテンツを利用する場合に、前記インフォメーションプロバイダ装置からの指令に応じて前記別の移動体端末装置が利用対象となる特定のコンテンツデータを有するかどうかを確認し、その特定のコンテンツデータの有無を示す確認情報を通信する工程と、前記インフォメーションプロバイダ装置が前記確認情報に基づいて前記特定のコンテンツデータに付与された識別情報に対応するユーザを特定する工程とを具備することを特徴とする。
【００１１】
この方法によれば、非接触カード機能用コンテンツのコンテンツデータにインフォメーションプロバイダが独自に付与した識別情報を含めているので、非接触カード機能で取得したコンテンツデータの識別情報に基づいてコンテンツデータの配布状況を把握したり、配布元である紹介者を特定することが可能となる。したがって、非接触カード機能で取得したデータを種々の場面で利用することができる。
【００１２】
本発明の非接触カード機能用コンテンツ配信方法においては、前記インフォメーションプロバイダ装置において、前記確認情報に基づいて前記特定のコンテンツデータに含まれる識別情報に対応するユーザに対してアフィリエイト処理を行うことが好ましい。
【図面の簡単な説明】
【００１３】
【図１】本発明の実施の形態に係る非接触カード機能用コンテンツ配信システムの概略構成を示す図である。
【図２】図１に示す非接触カード機能用コンテンツ配信システムにおける移動体端末の概略構成を示すブロック図である。
【図３】図１に示す非接触カード機能用コンテンツ配信システムにおけるＩＰ側装置の概略構成を示すブロック図である。
【図４】本発明の実施の形態に係る非接触カード機能用コンテンツ配信システムに使用するトルカスニップデータを示す図であり、（ａ）はデータ構成を示す図であり、（ｂ）はＩＤ情報を説明するための図である。
【図５】図１に示す移動体端末が持つテーブルを示す図である。
【図６】（ａ），（ｂ）は、図１に示すＩＰ側装置が持つテーブルを示す図である。
【図７】本発明の実施の形態に係る非接触カード機能用コンテンツ配信方法を説明するための図である。
【図８】トルカコンテンツの実体化を説明するための図である。
【図９】トルカ本体データをダウンロードする際の画面表示例を示す図である。
【図１０】図７に示す非接触カード機能用コンテンツ配信方法おけるトルカ読み出し手順を説明するための図である。
【発明を実施するための最良の形態】
【００１４】
以下、本発明の実施の形態について、添付図面を参照して詳細に説明する。本実施の形態においては、非接触カード機能用コンテンツ配信システムをアフィリエイトプログラムに適用した場合について説明する。なお、本実施の形態においては、コンテンツデータは、簡易データと、この簡易データに関連付けられた本体データとを含む。図１は、本発明の実施の形態に係る非接触カード機能用コンテンツ配信システムの概略構成を示す図である。【００１５】
図１に示すシステムは、移動体端末１Ａ，１Ｂと、この移動体端末１Ａ，１Ｂと移動通信網２を介して接続された移動通信網センター３と、移動通信網センター３とインターネット４のようなネットワークを介して接続されたインフォメーションプロバイダ（ＩＰ）装置５とから主に構成されている。【００１６】
移動体端末１Ａ，１Ｂは、非接触カード機能を実行できる機能を備えており、ＩＰ側装置５の外部リーダライタ（Ｒ／Ｗ）との間で非接触カード通信により情報の送受信を行うことができる。また、移動体端末１Ａ，１Ｂは、オペレーティングシステム（移動機ＯＳ）を有しており、移動機ＯＳ上でブラウザ機能、ビューワ機能、ＪＡＭ（Java Application Manager）その他の機能が動作する。【００１７】
移動通信網２は、移動体端末１Ａ，１Ｂと移動通信網センター３との間のネットワークである。この移動通信網２には、通常の移動通信網に加えて移動パケット通信網も含まれる。移動通信網センターは、例えばｉモード（登録商標）サーバなどを有すると共に、移動通信網２とインターネット４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット４をはじめその他のネットワーク、例えばＬＡＮやＷＡＮなども含まれる。【００１８】
このような構成の非接触カード機能用コンテンツ配信システムにおいては、ＩＰ側装置５において、非接触カード機能用コンテンツの簡易データにユーザの識別情報を付与し、移動体端末１Ａが前記簡易データをＩＰ側装置５から取得し、前記移動体端末１Ａが別の移動体端末１Ｂに前記簡易データを配信し、前記別の移動体端末１Ｂが前記ＩＰ側装置５のＲ／Ｗと非接触カード通信を行う際に、前記別の移動体端末１Ｂが特定の簡易データを有するかどうかを確認し、その確認情報を通信する。【００１９】
また、移動体端末１Ａ，１Ｂは、非接触カード機能用コンテンツの簡易データを外部Ｒ／Ｗから取得することもできる。この場合、移動体端末１Ａ，１Ｂは、外部Ｒ／Ｗの搬送波を検出した後に、その非接触カード機能部のＲ／Ｗと外部Ｒ／Ｗとの間で通信を開始し、外部Ｒ／Ｗから簡易データを取得する。また、簡易データに含まれるＵＲＬに接続することにより、簡易データに対応する非接触カード機能用コンテンツの本体データをダウンロードすることもできる。【００２０】
図２は、図１に示す非接触カード機能用コンテンツ配信システムにおける移動体端末の概略構成を示すブロック図である。なお、図２に示す構成は、本発明を説明するために簡略化したものであり、通常の移動体端末に搭載される構成要素は備えているものとする。なお、ここでは、非接触カード機能用コンテンツがトルカコンテンツ（コンテンツ簡易（スニップ）データ及びコンテンツ本体データを含む）である場合について説明する。【００２１】
移動体端末１Ａ，１Ｂは、装置全体を制御する制御部１１と、アンテナ１３を介して無線通信の制御を行う通信制御部１２と、種々の情報やデータを入力する入力部１４と、種々の情報やデータを表示する表示部１５と、非接触カード機能用コンテンツデータであるトルカデータ（簡易データ、本体データ）を管理するトルカマネージャ１６と、外部Ｒ／Ｗとの間で非接触カード通信を行う非接触カード部１７と、トルカスニップデータを格納する格納部１８とから主に構成されている。非接触カード部１７は、簡易データであるトルカスニップデータやその他の情報をバッファリングするバッファ、及び非接触カード機能を実現させるためのコントローラを含む非接触ＩＣ１７１と、外部Ｒ／Ｗとの間で非接触カード通信を行うＲ／Ｗ１７２とを含む。【００２２】
通信制御部１２は、他の移動体端末や別の通信機器との間の無線通信の制御などを行う。例えば、通信制御部１２は、アンテナ１３からの無線信号を受信すると共に、他の移動体端末や別の通信機器に送信する信号をアンテナ１３を介して送信する。また、通信制御部１２は、ブラウザ機能やメーラ機能を備えている。したがって、通信制御部１２は、トルカスニップデータに含まれる、トルカ本体データを取得するためにアクセスするＵＲＬに接続してトルカ本体データをダウンロードする。また、通信制御部１２は、ブラウザ機能により、Ｗｅｂ上からトルカ本体データをダウンロードすることができる。また、通信制御部１２は、トルカ本体データに含まれるＵＲＬからＷｅｂにリンクする機能、トルカ本体データに含まれる電話番号から発信する機能、トルカ本体データに含まれるメールアドレスからメール送信する機能を備えている。さらに、Ｊａｖａ（登録商標）アプリケーションやブラウザは、通信に必要なコマンド、例えばＡＰＩ（Application Program Interface）を用いて通信制御部１２を介して通信を行い、アプリケーション内部にコンテンツデータそのものが包含されている場合は、そのコンテンツデータを読み取って他のアプリケーションに引き継いだり、ＵＲＬが記載されている場合はそのＵＲＬに基づいて所定のサイトにアクセスしてトルカデータを取得することも可能である。なお、通信制御部１２は、光通信、赤外線通信、Bluetooth通信などにも対応できる構成を備えていても良い。【００２３】
表示部１５は、ビューワ機能を備えており、取得したトルカデータを表示する。また、表示部１５は、トルカデータを所定の表示形式（例えば、後述する図８、図９に示す形式）にフォーマットして表示させる。トルカスニップデータは、例えば図８（ｂ）に示すようなレイアウトで表示される。このレイアウトにおいては、場所やタイトルなどの情報や、タイトルに関する簡単な説明が表記される。この簡単な説明には、トルカ本体データを取得するためにアクセスするＵＲＬなどが含まれる。また、トルカ本体データは、図９（ｂ）に示すようなレイアウトで表示される。このレイアウトにおいても、場所やタイトルなどの情報や、タイトルに関する詳細な説明が表記される。この詳細な説明には、関連リンクＵＲＬ、電話番号、メールアドレスなどが含まれる。【００２４】
格納部１８は、トルカスニップデータを格納する。格納部１８は、例えばフォルダ管理によりトルカスニップデータを抽出し易い形で格納している。ここで、コンテンツ簡易データであるトルカスニップデータは、図４（ａ）に示すようなデータ構成を有する。このトルカスニップデータには、ＩＤ情報と制御フラグが含まれる。このＩＤ情報とは、ＩＰが独自に付与する識別情報である。例えば、ＩＤ情報は、図４（ｂ）に示すように、ＩＰの店舗の識別情報（店舗ＩＤ）、クーポン種別、及びＩＰにおけるアフィリエイトプログラムの識別情報（アフィリエイトＩＤ）を有する。なお、図４（ｂ）に示すＩＤ情報は一例であり、その内容は種々変更することが可能である。【００２５】
また、トルカスニップデータは、制御フラグを含んでいる。この制御フラグとしては、例えばトルカスニップデータの再配布が可能か否かのフラグ、コピーが可能か否かのフラグ、トルカ本体データの読み取りが可能か否かのフラグなどが挙げられる。これらの制御フラグは一例であり、その他の制御フラグを用いても良い。【００２６】
トルカマネージャ１６は、非接触カード部１７が非接触カード通信を行う際において、外部Ｒ／Ｗが特定のトルカスニップデータを有するかどうかを要求してきたときに、特定のトルカスニップデータの有無を確認し、その確認情報を外部Ｒ／Ｗに通信する制御を行う。トルカマネージャ１６は、図５に示すようなテーブルを有する。このテーブルは、トルカスニップデータ毎に、トルカ本体データを取得する際にアクセスするＵＲＬと、ＩＰが独自で付与したＩＤとが対応づけられている。したがって、トルカマネージャ１６は、外部Ｒ／Ｗが特定のトルカスニップデータを有するかどうかを要求してきたとき、図５に示すテーブルを参照して特定のトルカスニップデータがあるかどうかを確認し、特定のトルカスニップデータがあれば、格納部１８に格納しているトルカスニップデータを抽出して外部Ｒ／Ｗに送る制御を行う。また、トルカマネージャ１６は、外部Ｒ／Ｗから非接触カード通信によりトルカスニップデータを取得したときには、トルカスニップデータを格納部１８に格納する。【００２７】
非接触カード部１７は、非接触カード機能により、例えばトルカスニップデータの追加などを行う。非接触カード機能としては、例えばフェリカ（FeliCa：登録商標）などを挙げることができる。非接触カード部１７のＲ／Ｗ１７２は、移動体端末１Ａ，１Ｂを外部Ｒ／Ｗにかざしたときに、外部Ｒ／Ｗからトルカデータ、コマンド情報を取得して所定の処理部に受け渡す。制御部１１は、ヘッダ識別機能を有しており、外部Ｒ／Ｗから取得したデータに付与されたヘッダを識別して所定の処理部に送る。例えば、外部Ｒ／Ｗから取得したデータがトルカスニップデータであれば、トルカマネージャ１６に送り、外部Ｒ／Ｗから取得したデータがアプリケーション起動情報であれば、ＪＡＭ（Java Application Manager、図示せず）に送る。【００２８】
ここで、非接触カードを用いた非接触通信とは、赤外線通信や二次元バーコードを利用したデータの送受信などの近距離通信を含む通信方法を意味する。また、非接触カードとは、外部機器との間でデータ送受信を簡易に行うことのできる移動体端末に付随するモジュールである。【００２９】
図３は、図１に示す非接触カード機能用コンテンツ配信システムにおけるＩＰ側装置の概略構成を示すブロック図である。ＩＰ側装置５は、ＩＰのサイトを提供するサーバ装置５２と、ＩＰの店舗における店舗側装置（例えば、ＰＯＳ（Point Of Sales）レジシステム）５１とを含む。店舗側装置５１は、Ｒ／Ｗ５１１を備えている。ＩＰ側装置５については、図１においては同じ場所にサーバ装置５２と店舗側装置５１が存在しているように記載しているが、別々の場所にサーバ装置と店舗側装置が存在していても良い。また、サーバ装置と店舗側装置とは情報伝送ができるような構成であれば良く、有線で直接接続されていても良く、ネットワーク（インターネット、もしくは別のネットワーク）上で接続されていても良い。【００３０】
店舗側装置５１は、図６（ａ），（ｂ）に示すようなテーブルを有する。図６（ａ）に示すテーブルは、トルカスニップデータのＩＤ情報におけるクーポン種別を管理し、図６（ｂ）に示すテーブルは、トルカスニップデータのＩＤ情報におけるアフィリエイトＩＤを管理する。すなわち、図６（ａ）に示すテーブルにおいては、トルカスニップデータ毎にクーポン種別とそれに対応する割引内容が対応づけられており、図６（ｂ）に示すテーブルにおいては、トルカスニップデータ毎にアフィリエイトＩＤとアフィリエイトプログラムで特典や報酬（サービス、キャッシュバック、ポイント加算など）を受けるユーザが対応づけられている。このようなアフィリエイトプログラムで特典や報酬を受けるためには、予めＩＰに事前登録を行う。この事前登録情報は、ＩＰ側装置５のサーバ装置５２で管理される。【００３１】
次に、本発明の実施の形態に係る非接触カード機能用コンテンツを配信方法について図７を用いて説明する。また、図１０は、図７に示す非接触カード機能用コンテンツ配信方法おけるトルカ読み出し手順を説明するための図である。【００３２】
まず、アフィリエイトプログラムで特典や報酬を受けるユーザＡがＩＰのサイトにアクセスしてユーザ登録を行う（Ｓ１１）。この場合、移動体端末１ＡにおいてＩＰのサイトに移動通信網２及びインターネット４を介して接続し、表示部１５にサイト画面を表示させ、そのサイトにおいて所定の個人情報を入力する。これにより、ＩＰ側装置５においては、個人情報をサーバ装置５２に格納して、すなわち個人情報を管理して、ユーザ登録を行う（Ｓ１２）。ＩＰ側装置５は、ユーザ登録を行った後に、ＩＰ側で独自に付与したＩＤ情報を含めたトルカスニップデータを作成する。【００３３】
ユーザＡは、移動体端末１Ａにおいてユーザ登録が完了したことを確認した後に、ＩＤ情報を含むトルカスニップデータをダウンロードして取得する（Ｓ１３）。このトルカスニップデータは、格納部１８に格納される。また、このトルカスニップデータは、トルカマネージャ１６のテーブルに更新される。これにより、ユーザＡはＩＰから発行されたクーポンを取得したことになる。この場合、クーポンは紙媒体ではなく、トルカスニップデータで移動体端末１Ａに格納されるので、かさばることがない。また、電子クーポンとは異なり、印刷する必要もなく非常に便利である。【００３４】
紹介者であるユーザＡは、クーポンであるトルカスニップデータを種々の人に配信することができる。例えば、ユーザＡからユーザＢにトルカスニップデータを配信する場合、移動体端末１Ａから移動体端末１Ｂにトルカスニップデータを転送する（Ｓ１４）。トルカスニップデータを転送する場合には、移動体端末１ＡのＲ／Ｗを移動体端末１ＢのＲ／Ｗにかざして非接触カード通信により送信しても良く、移動体端末１Ａから移動体端末１Ｂにトルカスニップデータを含む電子メールを送信しても良く、移動体端末１Ａから移動体端末１Ｂに赤外線通信やBluetooth通信で送信しても良い。【００３５】
利用者であるユーザＢは、移動体端末１Ｂでトルカスニップデータを受信すると（Ｓ１５）、トルカスニップデータは、格納部１８に格納され、トルカマネージャ１６のテーブルが更新される。このとき、ユーザＢは、トルカスニップデータよりも詳細なトルカ本体データを取得すること（実体化）もできる。これにより、より詳細なＩＰの情報（店舗情報）を得ることができる。この場合、ユーザＢが移動体端末１ＢからＩＰのサイトにアクセスし（Ｓ１６）、トルカ本体データを移動通信網２及びインターネット４を介してダウンロードして取得する（Ｓ１７）。なお、トルカ本体データの取得は任意であり、後述するアフィリエイト処理においてはトルカ本体データが必須である必要はない。【００３６】
図８は、トルカコンテンツの実体化を説明するための図である。また、図９は、トルカ本体データをダウンロードする際の画面表示例を示す図である。トルカコンテンツの実体化を行う場合、まず、図８（ａ）に示すように、取得したトルカスニップデータの一覧表示画面から実体化したい、すなわち詳細な情報を得たいスニップを選択する。スニップを選択すると、図８（ｂ）に示すように、スニップの詳細画面が表示される。この詳細画面において「詳細」ボタンを押下すると、図８（ｃ）に示すように、トルカ本体データの取得のための確認画面が表示される。確認画面においてダウンロードすることを選択すると、インターネット接続を行ってトルカスニップデータに含まれるＵＲＬにアクセスして、トルカ本体データをダウンロードして、図８（ｄ）に示す表示がなされる。具体的には、ダウンロードが完了すると、図９（ａ）に示すような画面表示になる。そして、プレビューボタンを押下すると、図９（ｂ）に示すように、詳細データを含む画面表示がなされる。また、図９（ａ）に示す画面において保存ボタンを押下すると、図９（ｃ）に示すような画面表示がなされる。【００３７】
ユーザＢは、ＩＰの店舗に行き、クーポンであるトルカデータを利用する（Ｓ１８）。すなわち、店舗側装置５１のＲ／Ｗ５１１に移動体端末１Ｂをかざすことにより、Ｒ／Ｗ５１１と移動体端末１Ｂの非接触カード部１７との間の非接触カード通信により認証が行われる。この非接触カード通信において認証が行われ、利用可能であるとされると、店舗側装置５１においてアフィリエイト処理が行われる（Ｓ１９）。これにより、ユーザＢにＩＰの店舗を紹介したユーザＡは、ＩＰから特典や報酬（サービス、キャッシュバック、ポイント加算など）が与えられる。なお、特典や報酬を与える形態については、これに限定されず、種々変更することができる。【００３８】
ここで、トルカデータを利用する際の詳細な手順について図１０を用いて説明する。店舗側装置５１のＲ／Ｗ５１１は、所定の搬送波の情報信号を常時報知している。このＲ／Ｗ５１１に移動体端末１Ｂを近づけると、移動体端末１Ｂの非接触カード部１７の非接触ＩＣ１７１が情報信号を検出する。情報信号は電磁波であるので、この電磁波により非接触ＩＣ１７１が起動する。そして、Ｒ／Ｗ５１１は、特定のトルカスニップデータがあるか否かを示すコマンドを発行して非接触ＩＣ１７１に送信するこのコマンドの情報は非接触ＩＣ１７１を介して制御部１１に送られる（Ｓ２１）。なお、ここでは、特定のトルカスニップデータの有無について、特定のＵＲＬ（http://www.test.co.jp/）の前方一致、かつ、ＩＰが独自に付与したＩＤ（04）の前方一致を条件としている。この条件については適宜変更することが可能である。【００３９】
次いで、制御部１１は、受け取った情報をトルカマネージャ１６に送る（Ｓ２２）。そして、トルカマネージャ１６は、この情報に基づいて、特定のトルカスニップデータがあるか否かを確認する（Ｓ２３）。すなわち、トルカマネージャ１６は、図５に示すテーブルを参照して、特定のＵＲＬの前方一致、かつ、ＩＰが独自に付与したＩＤの前方一致の条件を満たしたトルカスニップデータがあるかどうかを確認する。図５に示すテーブルにおいては、No.1とNo.3のトルカスニップデータが前記条件を満たす（図５において色の濃い部分）。【００４０】
そして、トルカマネージャ１６は、No.1とNo.3のトルカスニップデータ（ＩＤ：0454658769(No.1)、ＩＤ：0459658769(No.3)）を格納部１８から抽出して、確認結果として制御部１１に送る（Ｓ２４）。また、制御部１１は、送られたトルカスニップデータを非接触ＩＣ１７１を介して店舗側装置５１のＲ／Ｗ５１１に送る（Ｓ２５）。【００４１】
このようにして、移動体端末１ＢがＲ／Ｗ５１１と非接触カード通信を行う際に、移動体端末１Ｂが特定のトルカスニップデータを有するかどうかを確認し、その確認情報を通信する。その後、店舗側装置５１においては、確認したＩＤ情報に基づいてアフィリエイト処理を行う（Ｓ２６）。【００４２】
店舗側装置５１におけるアフィリエイト処理では、図６（ａ）に示すテーブルを参照してＩＤ情報のクーポン種別を照合する。これにより、トルカスニップデータNo.1はクーポン種別が「５４」であるので、割引内容が８月１０％ＯＦＦとなり、トルカスニップデータNo.3はクーポン種別が「５９」であるので、割引内容が８月ビール１杯無料となる（図６（ａ）において色の濃い部分）。これは利用者であるユーザＢへのクーポンによる特典である。また、図６（ｂ）に示すテーブルを参照してＩＤ情報のアフィリエイトＩＤを照合する。これにより、トルカスニップデータNo.1、No.3ともにアフィリエイトＩＤが「６５８７６９」であるので、Ａさんがトルカスニップデータの配布元（紹介者）であることが分かる（図６（ｂ）において色の濃い部分）。したがって、Ａさんに特典や報酬が与えられる。これは紹介者であるユーザＡへの特典・報酬である。【００４３】
このように、本発明に係る非接触カード機能用コンテンツ配信システムにおいては、非接触カード機能用コンテンツの簡易データ（トルカスニップデータ）にＩＰが独自に付与したＩＤ（識別情報）を含めているので、ＩＣカード機能で取得した簡易データのＩＤに基づいて簡易データの配布状況を把握したり、配布元である紹介者を特定することが可能となる。したがって、ＩＣカード機能で取得したデータを種々の場面で利用することができる。【００４４】
本発明は上記実施の形態に限定されず、種々変更して実施することが可能である。例えば、上記実施の形態においては、非接触カード機能用コンテンツ配信システムをアフィリエイトプログラムに適用した場合について説明しているが、本発明はこれに限定されず、ＩＰ独自のＩＤ情報を含む簡易データを利用するすべての場合に適用することができる。また、上記実施の形態におけるアフィリエイトプログラムは一例であり、これに限定されず、トルカスニップデータの配信数や配信形態（例えば、配信を受けた者がさらに配信を行う）、あるいはトルカ本体データのダウンロード数などに応じて特典や報酬を変えるようにしても良い。【００４５】
上記実施の形態においては、店舗側装置５１のＲ／Ｗ５１１と移動体端末１Ｂとの間の認証については、トルカスニップデータのみを用いた場合について説明しているが、本発明はこれに限定されず、店舗側装置５１のＲ／Ｗ５１１と移動体端末１Ｂとの間の認証において、トルカスニップデータ及びトルカ本体データを用いて認証を行っても良く、トルカスニップデータ及びトルカ本体データに加えて鍵情報を用いて認証を行っても良い。【００４６】
上記実施の形態においては、非接触カードを利用したデータの送受信について説明しているが、本発明においては、二次元バーコードを利用したデータの送受信を利用しても良い。この場合、店舗側装置のＲ／Ｗはトルカデータを二次元バーコードに変換して表示し、移動体端末がカメラ撮影を行うことで二次元バーコードを移動体端末へ保存する。これにより、移動体端末へのトルカデータ書き込みが行われることになる。このとき、二次元バーコードをデコードした状態で移動体端末へ保存しても良い。【００４７】
また、店舗側装置のＲ／Ｗは、特定のトルカデータがあるか否かを問うコマンドを二次元バーコードに変換して表示する。移動体端末は、カメラ撮影を行うことで内部のアプリケーションを起動して移動体端末に保存されているトルカデータを検索し、その結果を移動体端末に表示する。店舗側装置のＲ／Ｗは、移動体端末に表示される二次元バーコードをバーコードリーダで読み取る。これにより、移動体端末へのトルカデータ有無の問い合わせが行われることになる。【００４８】
上記の例では、特定のトルカデータがあるか否かを問うコマンドを二次元バーコードに変換して表示することとしたが、次のような実施形態も実現可能である。店舗側装置５１のＲ／Ｗ５１１は、上記実施の形態と同様に所定の搬送波の情報信号を報知する。移動体端末が、情報信号を検出すると内部のアプリケーションを起動し、上記の例のように、移動体端末に保存されているトルカデータを検索し、その結果を移動体端末に表示する。このようにすることで、移動体端末に所定の搬送波の情報信号の受信機能が備わっている場合であれば、移動体端末がトルカデータに対応する機種であるかを問わず、同じサービスを提供できることになる。【００４９】
上記実施の形態で説明した構成に限定されず、本発明の範囲を逸脱しない限りにおいてＩＤ情報の数値、文字列や画面表示のレイアウトなどについて適宜変更して実施することが可能である。上記実施の形態においては、非接触カード機能用コンテンツがトルカコンテンツである場合について説明しているが、本発明は非接触カード機能用コンテンツがトルカコンテンツ以外の非接触カード機能用コンテンツである場合にも同様に適用することができる。その他、本発明の範囲を逸脱しないで適宜変更して実施することが可能である。【００５０】
本発明によれば、インフォメーションプロバイダ装置において、非接触カード機能用コンテンツのコンテンツデータにユーザの識別情報を付与し、移動体端末装置が前記コンテンツデータをインフォメーションプロバイダ装置から取得し、前記移動体端末装置が別の移動体端末装置に前記コンテンツデータを配信し、前記別の移動体端末装置が前記インフォメーションプロバイダ装置のリーダ／ライタ手段と非接触カード通信を行う際に、前記別の移動体端末装置が特定のコンテンツデータを有するかどうかを確認し、その確認情報を通信するので、非接触カード機能で取得したデータを種々の場面で利用することができる。【００５１】
この出願は、２００６年１月３１日に出願した特願２００６−２１９２９号に基づく。これらの内容はすべてここに含める。
【図１】
0004805958.tif 000002
【図２】
0004805958.tif 000003
【図３】
0004805958.tif 000004
【図４】
0004805958.tif 000005
【図５】
0004805958.tif 000006
【図６】
0004805958.tif 000007
【図７】
0004805958.tif 000008
【図８】
0004805958.tif 000009
【図９】
0004805958.tif 000010
【図１０】
0004805958.tif 000011